(57)【要約】【課題】ファンの防振を簡易に図ることができるプロジェクターを提供すること。【解決手段】プロジェクターは、ファン筐体、及び、ファン筐体に設けられる第１取付部を有するファンと、第１取付部が取り付けられる第２取付部を有し、ファンを収容する外装筐体と、第１取付部及び第２取付部の間に介装される弾性部材と、第１取付部及び弾性部材を挿通した一端が第２取付部に固定され、ファンを外装筐体内に取り付ける取付部材と、を備える。【選択図】図５
2018017962.tif 000002
【特許請求の範囲】
【請求項１】
ファン筐体、及び、前記ファン筐体に設けられる第１取付部を有するファンと、
前記第１取付部が取り付けられる第２取付部を有し、前記ファンを収容する外装筐体と、
前記第１取付部及び前記第２取付部の間に介装される弾性部材と、
前記第１取付部及び前記弾性部材を挿通した一端が前記第２取付部に固定され、前記ファンを前記外装筐体内に取り付ける取付部材と、を備えることを特徴とするプロジェクター。
【請求項２】
請求項１に記載のプロジェクターにおいて、
前記弾性部材は、弾性を有する樹脂により形成されていることを特徴とするプロジェクター。
【請求項３】
請求項２に記載のプロジェクターにおいて、
前記弾性部材は、前記第１取付部と対向する面に凸部を有することを特徴とするプロジェクター。
【請求項４】
請求項２又は請求項３に記載のプロジェクターにおいて、
前記第２取付部は、前記第２取付部から前記ファンに向けて突出する突出部を有し、
前記弾性部材は、前記突出部が嵌まり込む凹部を有することを特徴とするプロジェクター。
【請求項５】
請求項２から請求項４のいずれか一項に記載のプロジェクターにおいて、
前記第２取付部は、前記第２取付部から前記ファンに向けて突出する突出部を有し、
前記取付部材は、
前記弾性部材及び前記第１取付部を挿通する第１軸部と、
前記第２取付部に固定される第２軸部と、
前記第１軸部を挟んで前記第２軸部とは反対側に位置し、前記第１取付部において前記第２取付部に対向する面とは反対側の面に対向する対向部と、
前記第１軸部及び前記第２軸部の接続部分に設けられ、前記突出部における前記第２取付部からの突出方向側の面に当接する段部と、を有することを特徴とするプロジェクター。
【請求項６】
請求項１に記載のプロジェクターにおいて、
前記弾性部材は、ばねにより構成されていることを特徴とするプロジェクター。
【請求項７】
請求項１から請求項６のいずれか一項に記載のプロジェクターにおいて、
前記ファンは、遠心力ファンであり、
前記ファン筐体は、回転される羽根部材の回転軸に直交する直交面を有し、
前記外装筐体の内面と前記直交面との間には、可撓部材が設けられていることを特徴とするプロジェクター。
【請求項８】
請求項７に記載のプロジェクターにおいて、
前記可撓部材は、前記ファンに向けて流通する冷却気体を通過させる通風部を有することを特徴とするプロジェクター。
【請求項９】
請求項１から請求項８のいずれか一項に記載のプロジェクターにおいて、
前記外装筐体は、前記外装筐体の内部の冷却気体が排出される排気口を有し、
前記ファンは、前記排気口を介して前記外装筐体の内部の冷却気体を排出する排気ファンであることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、これらを収容する外装筐体と、を備えたプロジェクターが知られている。このようなプロジェクターとして、光源装置や光変調装置等の冷却対象に冷却気体を送出する冷却ファン（遠心ファン）を有するプロジェクターが知られている（例えば、特許文献１参照）。
【０００３】
この特許文献１に記載のプロジェクターでは、外装筐体（本体ケース）の下ケースを遠心ファン支持部材としており、当該遠心ファン支持部材には、ねじ等により遠心ファンが固定される２つの位置決め固定部が突設されている。
また、下方の遠心ファン支持部と、上方の遠心ファンカバー部材とのそれぞれには、それぞれ一対の支持突起が、遠心ファンに向けて突設されている。これら支持突起の先端面には、合成ゴム等からなるリング状の弾性部材が接着剤等により貼り付けられている。これにより、遠心ファンは、当該支持突起によって挟み込まれるようにして弾性的に支持され、当該遠心ファンの振動が本体ケースに伝播して騒音となることが抑制されている。
【先行技術文献】
【特許文献】
【０００４】
【特許文献１】特開２００９−０５３２６５号公報
【発明の概要】
【発明が解決しようとする課題】
【０００５】
しかしながら、上記特許文献１に記載のプロジェクターでは、遠心ファンを挟み込んで支持する支持突起を、当該遠心ファンの上下に設ける必要があることから、当該遠心力ファンの周囲に大きなスペースを要するという問題がある。特に、携帯可能な小型のプロジェクターでは、このようなスペースを設けることが困難である。
また、上記弾性部材を介して上下の支持突起を遠心ファンに当接させるには、当該遠心ファンの大きさ（特に遠心力ファンの上下方向の寸法）に応じた本体ケースを用意する必要があり、プロジェクターの製造コストが増大する。
一方で、遠心力ファンの単位時間当たりの回転数を下げることにより、遠心力ファンにて生じる振動に起因する騒音を低減させることが考えられる。しかしながら、このような場合には、冷却対象の冷却を十分に行えない可能性が生じる。
これらのことから、簡易にファンの防振を図り、騒音を低減できる構造が要望されてきた。
【０００６】
本発明は、上記課題の少なくとも一部を解決することを目的としたものであり、ファンの防振を簡易に図ることができるプロジェクターを提供することを目的の１つとする。
【課題を解決するための手段】
【０００７】
本発明の一態様に係るプロジェクターは、ファン筐体、及び、前記ファン筐体に設けられる第１取付部を有するファンと、前記第１取付部が取り付けられる第２取付部を有し、前記ファンを収容する外装筐体と、前記第１取付部及び前記第２取付部の間に介装される弾性部材と、前記第１取付部及び前記弾性部材を挿通した一端が前記第２取付部に固定され、前記ファンを前記外装筐体内に取り付ける取付部材と、を備えることを特徴とする。
【０００８】
なお、取付部材としては、ねじ等の締結具を例示できる。
上記一態様によれば、上記弾性部材によって、ファンが駆動した際に生じる振動を減衰させることができるので、当該振動が、第２取付部、ひいては、外装筐体に伝播することを抑制でき、当該振動に起因する騒音を低減できる。このような弾性部材は、ファンが有する第１取付部と、外装筐体が有する第２取付部との間に介装されるので、上記特許文献１に記載の構成のように、ファンの上下に支持突起を設ける必要がない。従って、ファンの防振を簡易に図ることができ、プロジェクターの低騒音化を実現できる。
この他、上記騒音を低減できるので、当該騒音に基づいて設定されるファンの回転速度（単位時間当たりの回転数）の上限値を、弾性部材が無い場合より高く設定できる。従って、ファンによる吸気量及び排気量を増加でき、当該ファンによって流通される冷却気体による冷却対象の冷却効率を向上させることができる。
【０００９】
上記一態様では、前記弾性部材は、弾性を有する樹脂により形成されていることが好ましい。
このような樹脂としては、シリコーン樹脂やウレタン樹脂を例示できる。
上記構成によれば、弾性部材を成形等により容易に形成できる。なお、シリコーン樹脂は弾性の他に高い耐熱性も有するので、上記樹脂がシリコーン樹脂であれば、熱による弾性部材の劣化を抑制できる。
【００１０】
上記一態様では、前記弾性部材は、前記第１取付部と対向する面に凸部を有することが好ましい。
このような構成によれば、上記凸部が、第１取付部に接触し、ファンの振動に応じて弾性変形することにより、当該振動が弾性部材において第２取付部側に伝播されることを抑制できるので、第２取付部に伝播される振動を確実に減衰させることができる。従って、当該振動に起因する騒音を確実に低減でき、プロジェクターの低騒音化を確実に図ることができる。
【００１１】
上記一態様では、前記第２取付部は、前記第２取付部から前記ファンに向けて突出する突出部を有し、前記弾性部材は、前記突出部が嵌まり込む凹部を有することが好ましい。
このような構成によれば、弾性部材の突出部への取付を容易に実施できる他、第２取付部にファン（第１取付部）を取り付けるまでの間に、弾性部材が第２取付部から外れることを抑制できる。従って、第２取付部への弾性部材及びファンの取付を容易に実施できるので、プロジェクターの組立性を向上させることができる。
【００１２】
上記一態様では、前記第２取付部は、前記第２取付部から前記ファンに向けて突出する突出部を有し、前記取付部材は、前記弾性部材及び前記第１取付部を挿通する第１軸部と、前記第２取付部に固定される第２軸部と、前記第１軸部を挟んで前記第２軸部とは反対側に位置し、前記第１取付部において前記第２取付部に対向する面とは反対側の面に対向する対向部と、前記第１軸部及び前記第２軸部の接続部分に設けられ、前記突出部における前記第２取付部からの突出方向側の面に当接する段部と、を有することが好ましい。
【００１３】
ここで、弾性部材は、比較的大きく弾性変形（圧縮）された状態では剛性が高まるため、当該弾性部材が、そのような状態で第１取付部と第２取付部との間に介装されていると、ファンの振動が減衰されにくくなる。
これに対し、上記構成によれば、取付部材の軸方向における上記第１軸部の寸法を、弾性部材において第１取付部から第２取付部までの同方向の寸法と、当該第１取付部における同方向の寸法とを加算した寸法に合わせることにより、弾性部材が弾性変形（圧縮）されすぎない状態で、第２取付部に弾性部材及び第１取付部を取り付けることができる。これにより、ファンの振動を確実に減衰させて、当該振動を第２取付部に伝わりにくくすることができる。従って、ファンの防振を確実に図ることができ、ひいては、プロジェクターの低騒音化を確実に図ることができる。
【００１４】
上記一態様では、前記弾性部材は、ばねにより構成されていることが好ましい。
このような構成によれば、弾性部材を簡易に構成できる。また、ばねは比較的安価であるので、弾性部材を設けることによるプロジェクターの製造コストの増大を抑制できる。
【００１５】
上記一態様では、前記ファンは、遠心力ファンであり、前記ファン筐体は、回転される羽根部材の回転軸に直交する直交面を有し、前記外装筐体の内面と前記直交面との間には、可撓部材が設けられていることが好ましい。
このような構成によれば、上記弾性部材と同様に、上記可撓部材がファンの振動に応じて撓むことにより、外装筐体の内面に伝播される当該振動を減衰できる。従って、当該振動に起因する騒音を一層低減でき、プロジェクターの低騒音化をより確実に図ることができる。
【００１６】
上記一態様では、前記可撓部材は、前記ファンに向けて流通する冷却気体を通過させる通風部を有することが好ましい。
このような構成によれば、ファンに吸引される気体が、通風部を流通することにより、可撓部材が設けられることによって当該気体の流通が遮られることを抑制できる。従って、可撓部材が配置されることによるファンの吸排気効率の低下を抑制できる。
【００１７】
上記一態様では、前記外装筐体は、前記外装筐体の内部の冷却気体が排出される排気口を有し、前記ファンは、前記排気口を介して前記外装筐体の内部の冷却気体を排出する排気ファンであることが好ましい。
ここで、プロジェクターが携帯可能な小型のプロジェクターである場合、外装筐体の内部の冷却気体を排出する排気ファンには、当該外装筐体の外部の気体を導入するファンや、外装筐体内に導入された冷却気体を冷却対象に送出するファンに比べて大型のファンが採用されやすい。このような排気ファンは、他のファンに比べて振動も大きくなりやすい他、プロジェクターに落下等の衝撃が加わった場合に作用する応力が大きくなりやすい。
これに対し、上記構成によれば、弾性部材によって排気ファンから第２取付部（外装筐体）に伝播される振動を減衰できる他、外装筐体から排気ファンに作用する上記応力を減衰できる。従って、ファンの振動に起因する騒音を効果的に低減できる他、当該ファンを安定して利用できる。
【図面の簡単な説明】
【００１８】
【図１】本発明の第１実施形態に係るプロジェクターを示す斜視図。
【図２】上記第１実施形態における装置本体を示す平面図。
【図３】上記第１実施形態における画像投射装置の構成を示す模式図。
【図４】上記第１実施形態における排気ファン及び排気ファンの取付構造を示す図。
【図５】上記第１実施形態における排気ファン及び排気ファンの取付構造を示す図。
【図６】上記第１実施形態における弾性部材を示す斜視図。
【図７】上記第１実施形態における弾性部材を示す断面図。
【図８】上記第１実施形態におけるファン取付部及び弾性部材を示す断面図。
【図９】上記第１実施形態における排気ファンの回転数と騒音の大きさとの関係を示すグラフ。
【図１０】上記第１実施形態における他の排気ファンをファン取付部に取り付けた状態を示す斜視図。
【図１１】本発明の第２実施形態に係るプロジェクターが備えるファン配置部の構成を示す図。
【図１２】上記第２実施形態における可撓部材の配置位置の一例を示す図。
【図１３】上記第２実施形態における他の可撓部材が配置された状態を示す図。
【発明を実施するための形態】
【００１９】
［第１実施形態］
以下、本発明の第１実施形態について、図面に基づいて説明する。
［プロジェクターの概略構成］
図１は、本実施形態に係るプロジェクター１を正面側上方から見た斜視図である。
本実施形態に係るプロジェクター１は、光源から出射された光を変調して画像情報に応じた画像を形成し、当該画像をスクリーン等の被投射面上に拡大投射する画像表示装置である。このプロジェクター１は、図１に示すように、外装を構成する外装筐体２と、当該外装筐体２内に配置される装置本体３（図２参照）と、を備える。
このようなプロジェクター１は、携帯可能に薄型化されたモバイルプロジェクターとして構成されている。そして、当該プロジェクター１は、外装筐体２と排気ファン５３との間に介装される防振構造（後述する弾性部材ＥＭ等）によって、当該排気ファン５３の防振及び対衝撃性の向上を図れ、更には静粛性の向上を図れる他、排気ファン５３の回転速度（単位時間当たりの回転数）を増加させたとしても、騒音値を所定の範囲内としつつ冷却性能の向上を図れる点を特徴の１つとしている。
以下、プロジェクター１の各構成について詳述する。
【００２０】
［外装筐体の構成］
外装筐体２は、全体略直方体形状に形成されている。この外装筐体２は、アッパーケース２１及びロアーケース２２を有し、これらが組み合わされて構成されている。このような外装筐体２は、天面部２Ａ、底面部２Ｂ、正面部２Ｃ、背面部２Ｄ、左側面部２Ｅ及び右側面部２Ｆを有する。
【００２１】
天面部２Ａは、後述する投射光学装置４６に設けられた操作レバー４６２を露出させる開口部２Ａ１を有する。この操作レバー４６２は、当該投射光学装置４６によって投射される画像のフォーカス調整又はズーム調整を行うためのレバーである。また、天面部２Ａは、プロジェクター１に対する各種操作を受け付ける操作パネル２Ａ２を有する。
右側面部２Ｆには、外部の空気を冷却気体として外装筐体２の内部に導入する吸気口２Ｆ１を有する。
【００２２】
正面部２Ｃは、開口部２Ｃ１及び排気口２Ｃ２を有する。開口部２Ｃ１は、正面部２Ｃにおける略中央に位置し、投射光学装置４６から投射される画像を通過させる。排気口２Ｃ２は、正面部２Ｃの左側面部２Ｅ側に位置し、外装筐体２内を流通した冷却気体を排出する。この排気口２Ｃ２には、仕切部材２Ｃ３が嵌め込まれており、当該仕切部材２Ｃ３は、縦横に延出する複数のルーバー２Ｃ４を有する。なお、詳しくは後述するが、仕切部材２Ｃ３は、排気ファン５３の送出部５３７を保持する機能も有する。
底面部２Ｂは、図１では図示を省略するが、後述する排気ファン５３に応じた位置に吸気口２Ｂ１（図４及び図５参照）を有する。この吸気口２Ｂ１を介して、外装筐体２外の空気が排気ファン５３によって取り込まれ、当該外装筐体２内を流通した冷却気体と混ざることにより、排気ファン５３によって排気口２Ｃ２から排出される気体の温度が下げられる。
【００２３】
なお、以下の説明では、互いに直交する＋Ｘ方向、＋Ｙ方向及び＋Ｚ方向のうち、＋Ｘ方向を左側面部２Ｅ側から右側面部２Ｆ側に向かう方向とし、＋Ｙ方向を、底面部２Ｂ側から天面部２Ａ側に向かう方向とし、＋Ｚ方向を背面部２Ｄ側から正面部２Ｃ側に向かう方向とする。すなわち、＋Ｘ方向は、正面部２Ｃに正対した場合のプロジェクター１（外装筐体２）の幅方向に沿う方向であり、＋Ｙ方向は、プロジェクター１（外装筐体２）の高さ方向であり、＋Ｚ方向は、＋Ｙ方向側から見て、投射光学装置４６によって画像が投射される方向に沿う方向である。また、＋Ｚ方向とは反対方向を−Ｚ方向とする。−Ｘ方向及び−Ｙ方向も同様である。
【００２４】
［装置本体の構成］
図２は、装置本体３を示す平面図であり、アッパーケース２１を取り外した状態のプロジェクター１を＋Ｙ方向側から見た図である。
装置本体３は、プロジェクター１の内部構造に相当し、上記外装筐体２内に配置される。この装置本体３は、図２に示すように、画像投射装置４、冷却装置５、制御装置ＣＵ及び電源装置ＰＵを備える。
これらのうち、制御装置ＣＵは、プロジェクター１全体の動作を制御するものであり、背面部２Ｄに沿って配置されている。また、電源装置ＰＵは、プロジェクター１を構成する電子部品に電力を供給するものであり、正面部２Ｃ側の略中央（詳しくは、投射光学装置４６と排気ファン５３との間）に配置されている。
【００２５】
［画像投射装置の構成］
図３は、画像投射装置４の構成を示す模式図である。
画像投射装置４は、上記制御装置ＣＵによる制御の下、画像情報に応じた画像を形成及び投射する。この画像投射装置４は、図３に示すように、光源装置４１、均一化装置４２、色分離装置４３、リレー装置４４、電気光学装置４５、投射光学装置４６及び光学部品用筐体４７を備える。
【００２６】
光源装置４１は、均一化装置４２に光束を出射する。この光源装置４１は、光源ランプ４１１、リフレクター４１２及び平行化レンズ４１３と、これらを収納するハウジング４１４と、を有する。しかしながら、光源装置４１は、ＬＥＤ（Light Emitting Diode）やＬＤ（Laser Diode）等の固体光源を有する構成としてもよい。また、光源装置４１は、当該固体光源と、固体光源から出射された光の少なくとも一部の波長を変換する波長変換素子とを有する構成としてもよい。更に、光源装置の数は、２つ以上でもよい。
均一化装置４２は、光源装置４１から入射される光束の中心軸に直交する面内の照度を均一化する。この均一化装置４２は、光源装置４１からの光束の入射順に、第１レンズアレイ４２１、調光装置４２２、第２レンズアレイ４２３、偏光変換素子４２４及び重畳レンズ４２５を有する。なお、調光装置４２２は、無くてもよい。
【００２７】
色分離装置４３は、均一化装置４２から入射される光束から、赤（Ｒ）、緑（Ｇ）及び青（Ｂ）の３つの色光を分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２８】
電気光学装置４５は、分離された各色光を画像情報に応じてそれぞれ変調した後、当該各色光を合成して、投射光学装置４６によって投射される画像光を形成する。この電気光学装置４５は、各色光に応じて設けられる３つのフィールドレンズ４５１、３つの入射側偏光板４５２、光変調装置としての３つの液晶パネル４５３（赤、緑及び青用の液晶パネルをそれぞれ４５３Ｒ，４５３Ｇ，４５３Ｂとする）及び３つの出射側偏光板４５４と、１つの色合成装置４５５と、を有する。これらのうち、色合成装置４５５は、変調された各色光を合成するものであり、本実施形態ではクロスダイクロイックプリズムによって構成されている。しかしながら、これに限らず、色合成装置４５５は、複数のダイクロイックミラーによって構成することも可能である。
【００２９】
投射光学装置４６は、電気光学装置４５によって形成された画像光を上記被投射面上に拡大投射する。この投射光学装置４６は、複数のレンズ（図示省略）と、当該複数のレンズを内部に収納する鏡筒４６１とを備えた組レンズとして構成されている。これらのうち、鏡筒４６１には、上記操作レバー４６２（図１参照）が外周面に設けられている。
【００３０】
光学部品用筐体４７は、上記装置４１〜４６を構成する光学部品の一部を支持する。この光学部品用筐体４７には、照明光軸Ａｘが設定されており、上記各装置４１〜４６は、当該照明光軸Ａｘ上の所定位置に配置される。例えば、光源装置４１が光学部品用筐体４７に接続された際には、当該光源装置４１から出射される光束の中心軸は、照明光軸Ａｘと一致する。
【００３１】
［冷却装置の構成］
冷却装置５は、図２に示すように、ファン５１，５２、排気ファン５３及び複数のダクト（図示省略）を有し、それぞれ冷却対象である画像投射装置４（特に、電気光学装置４５及び偏光変換素子４２４）、制御装置ＣＵ及び電源装置ＰＵに、冷却気体を流通させて、これら各装置４，ＣＵ，ＰＵを冷却する。
【００３２】
ファン５１は、正面部２Ｃと右側面部２Ｆとの交差部位近傍（換言すると、投射光学装置４６に対して右側面部２Ｆ側の部位）に配置されている。このファン５１は、上記吸気口２Ｆ１を介して外装筐体２の外部の気体を吸引して、ダクトを介して上記電気光学装置４５に送出する。
ファン５２は、光源装置４１に対して背面部２Ｄ側の部位に配置されている。このファン５２は、外装筐体２内の気体を吸引して、光源装置４１に送出する。
【００３３】
［排気ファンの構成］
排気ファン５３は、正面部２Ｃと左側面部２Ｅとの交差部位近傍（換言すると、排気口２Ｃ２に応じた部位）に位置する。この排気ファン５３は、排気に特化した遠心力ファン（シロッコファン）により構成され、外装筐体２内を流通した冷却気体を吸引して、仕切部材２Ｃ３及び排気口２Ｃ２を介して当該冷却気体を外装筐体２外に排出する。
【００３４】
図４及び図５は、排気ファン５３及び当該排気ファン５３の取付構造を−Ｚ方向側から見た図である。
このような排気ファン５３は、図３〜図５に示すように、ファン本体５３１及びファン筐体５３２を有する。
ファン本体５３１は、両面吸気型の遠心力ファンであり、後述する排気ファン５４と同様の構成を有する。すなわち、図３〜５では図示を省略するが、複数の羽根が設けられた羽根部材と、当該羽根部材を＋Ｙ方向に沿う回転軸を中心として回転させるモーター等の回転装置と、これらを収容するファンケースと、を有する。これらのうち、ファンケースは、当該回転軸に直交し、かつ、互いに対向する２つの面のそれぞれに、冷却気体を導入する導入口を有し、当該回転軸に直交する方向に開口する送出口を有する。
【００３５】
ファン筐体５３２は、図４及び図５に示すように、ファンケースの導入口及び送出口を除いてファン本体５３１を覆い、これにより、当該ファン本体５３１を収容する筐体である。このファン筐体５３２は、＋Ｙ方向側からファン本体５３１を覆う第１筐体５３３と、−Ｙ方向側からファン本体５３１を覆う第２筐体５３４と、が組み合わされて構成されている。
このようなファン筐体５３２は、上記羽根部材の回転軸に直交し、かつ、互いに対向する吸気面５３５，５３６と、上記送出口に応じた位置に形成された開口部を有する送出部５３７と、を備える。これらのうち、吸気面５３５は、ファンケースにおける上記２つの面のうち、当該吸気面５３５によって覆われる面の導入口に応じた位置に、円形状の開口部５３５１を有する。また、吸気面５３６は、図示を省略するが、ファンケースにおける上記２つの面のうち、当該吸気面５３６によって覆われる面の導入口に応じた位置に、円形状の開口部を有する。
【００３６】
そして、排気ファン５３は、吸気面５３５が＋Ｙ方向側を向き、吸気面５３６が−Ｙ方向側を向き、かつ、送出部５３７が＋Ｚ方向側を向くように、外装筐体２内に配置される。この送出部５３７が上記仕切部材２Ｃ３と接続されることにより、ファン筐体５３２、ひいては、排気ファン５３の＋Ｚ方向側の端部が、仕切部材２Ｃ３によって支持される。
なお、排気ファン５３において、−Ｚ方向側の側面、すなわち、送出部５３７とは反対側の側面には、金属板ＰＬが設けられている。この金属板ＰＬは、外装筐体２内を流通して温度が高くなった冷却気体がファン筐体５３２に直接衝突して、当該ファン筐体５３２の温度が上昇することを抑制する。
【００３７】
また、ファン筐体５３２は、仕切部材２Ｃ３によって支持される送出部５３７とは反対側（−Ｚ方向側）の部位に、２つの取付部５３８を有する。
これら取付部５３８は、本発明の第１取付部に相当する部分であり、ＸＺ平面に沿ってファン筐体５３２の外側に向かって延出している。これら取付部５３８のそれぞれは、ロアーケース２２の内面２２Ａに設けられたファン取付部２２３を構成する位置決め突起２２４が挿入される位置決め孔５３８１と、後述する段付ねじＳＣが挿通される挿通孔５３８２と、を有する。
【００３８】
このような取付部５３８のうち、図４及び図５の図面視で右側（−Ｘ方向側）に位置する取付部５３８は、第１筐体５３３に設けられた延出部と、第２筐体５３４に設けられた延出部とが重ね合わされて構成されている。
なお、ファン筐体５３２は、−Ｚ方向側の部位に取付部５３８を２つ有するとした。しかしながら、これに限らず、ファン筐体５３２は、取付部５３８を１つ、或いは、３つ以上有していてもよく、当該取付部５３８の位置も適宜変更可能である。
【００３９】
［排気ファンの取付構造］
ここで、ロアーケース２２の内面２２Ａに位置するファン配置部２２１について説明する。
ファン配置部２２１は、図４及び図５に示すように、内面２２Ａにおいて排気ファン５３が配置される部位であり、上記吸気口２Ｂ１に応じた部位である。このファン配置部２２１は、板状体２２２と、第２取付部としてのファン取付部２２３と、を有する。なお、本実施形態では、ファン配置部２２１は、上記取付部５３８に応じてファン取付部２２３を２つ有する。
板状体２２２は、吸気口２Ｂ１を内面２２Ａ側から覆うように配置された金属板であり、当該板状体２２２は、複数の孔部を有する。この板状体２２２は、外装筐体２外に光が漏れることを抑制する遮光板として機能する他、放熱板として機能する。
２つのファン取付部２２３のうち、一方は、吸気口２Ｂ１に対して−Ｚ方向側で、かつ、−Ｘ方向側の位置に配置され、他方は、吸気口２Ｂ１に対して−Ｚ方向側で、かつ、＋Ｘ方向側の位置に配置されている。
【００４０】
これらファン取付部２２３は、それぞれ内面２２Ａから＋Ｙ方向に突出する位置決め突起２２４及び突出部２２５と、これら位置決め突起２２４及び突出部２２５を架橋する架橋部２２６と、を有する。
位置決め突起２２４は、上記位置決め孔５３８１に挿入されて、排気ファン５３を位置決めする。
突出部２２５は、内面２２Ａから円筒状に突出したボスである。これら突出部２２５は、上記挿通孔５３８２を挿通した段付ねじＳＣが固定されるねじ孔２２５１を有し、排気ファン５３が固定される。このような突出部２２５と取付部５３８との間には、弾性部材ＥＭが設けられている。
架橋部２２６は、位置決め突起２２４及び突出部２２５の強度を高める部位である。
【００４１】
［弾性部材の構成］
図６は、弾性部材ＥＭを示す斜視図であり、図７は、弾性部材ＥＭの中心軸ＣＡを含む平面での断面を示す図である。
弾性部材ＥＭは、本発明の弾性部材の１つであって、駆動時の排気ファン５３の振動を減衰して抑制する他、排気ファン５３に伝播される振動を減衰する防振部材である。この弾性部材ＥＭは、図６及び図７に示すように、弾性を有する材料によって略円筒状に形成されており、本実施形態では、ヤング率が比較的低いシリコーン樹脂により形成されている。このような弾性部材ＥＭは、被覆部ＥＭ１及び防振部ＥＭ５を有する。
【００４２】
被覆部ＥＭ１は、中心軸ＣＡを中心とする円筒部であり、上記突出部２２５の直径より大きな直径を有する。この被覆部ＥＭ１は、突出部２２５上に弾性部材ＥＭが配置された際に、当該突出部２２５の上記突出方向における先端部の側面を覆う側面部ＥＭ２を有する。換言すると、被覆部ＥＭ１は、図７に示すように、当該先端部が嵌め込まれる凹部ＥＭ３を有する。なお、凹部ＥＭ３の内径は、当該凹部ＥＭ３の深さ方向に向かうに従って（防振部ＥＭ５側に向かうに従って）連続的に縮径されており、これにより、弾性部材ＥＭは、凹部ＥＭ３内に突出部２２５の先端部を挿入しやすく構成されている。
また、側面部ＥＭ２は、弾性部材ＥＭが突出部２２５上に配置される際に上記架橋部２２６（図４及び図５参照）を避ける切欠ＥＭ４を有する。
【００４３】
防振部ＥＭ５は、被覆部ＥＭ１と同様に、中心軸ＣＡを中心とする円筒部である。この防振部ＥＭ５の外径は、被覆部ＥＭ１の外径より小さいものの、突出部２２５の外径より大きい。このような防振部ＥＭ５は、当該中心軸ＣＡに沿って防振部ＥＭ５を貫通する挿通孔ＥＭ６を有し、当該挿通孔ＥＭ６は、上記凹部ＥＭ３に開口している。なお、挿通孔ＥＭ６の内径は、突出部２２５が有するねじ孔２２５１の内径より大きい。
【００４４】
防振部ＥＭ５は、被覆部ＥＭ１側とは反対側の面ＥＭＡ（突出部２２５と取付部５３８との間に弾性部材ＥＭが介装された際に当該取付部５３８と対向する面ＥＭＡ）に、複数の凸部ＥＭ７を有する。
これら凸部ＥＭ７は、面ＥＭＡから突出するに従って中心軸ＣＡに直交する断面積が小さくなる形状に形成されている。具体的に、凸部ＥＭ７は、略半球状に形成されている。しかしながら、これに限らず、凸部ＥＭ７は、錐形状に形成されていてもよい。
このような凸部ＥＭ７の先端部は、上記取付部５３８において突出部２２５及び弾性部材ＥＭに対向する面５３８Ａ（図８参照）に当接する。そして、排気ファン５３が振動する際に、これら凸部ＥＭ７が弾性変形することにより、排気ファン５３の振動を減衰させて、当該振動が突出部２２５を有するロアーケース２２（外装筐体２）に伝播することを抑制する。
なお、凸部ＥＭ７は、面ＥＭＡの周方向に沿って等間隔に６つ設けられているとしたが、これに限らず、凸部ＥＭ７の数及び配置は、適宜変更可能である。
【００４５】
ここで、弾性部材ＥＭは、当該弾性部材ＥＭの正ばね定数が低いほど、排気ファン５３の振動を減衰しやすい。
このような弾性部材ＥＭの正ばね定数は、上記防振部ＥＭ５の中心軸ＣＡに沿う方向の寸法が大きいほど低くなる他、防振部ＥＭ５において中心軸ＣＡに対する直交面の面積（断面積）が小さいほど低くなる。更に、本実施形態では、ヤング率が比較的低いシリコーン樹脂によって弾性部材ＥＭを形成することにより、当該弾性部材ＥＭの正ばね定数を低くしている。このように正ばね定数が低く設定された弾性部材ＥＭを採用することにより、上記振動を減衰しやすくし、騒音の発生抑制等を図っている。
【００４６】
［排気ファンの取付］
図８は、排気ファン５３が取り付けられたファン取付部２２３及び弾性部材ＥＭを模式的に示す断面図である。
排気ファン５３をファン配置部２２１に配置する際には、図８に示すように、まず、凹部ＥＭ３に突出部２２５の先端部を嵌め込んで、当該先端部に弾性部材ＥＭを配置する。
そして、取付部５３８の位置決め孔５３８１に位置決め突起２２４を挿入して、ファン取付部２２３に排気ファン５３を位置決めする。これにより、弾性部材ＥＭが有する凸部ＥＭ７の先端部が取付部５３８（上記面５３８Ａ）に当接する。
この後、段付ねじＳＣを、取付部５３８の挿通孔５３８２、及び、弾性部材ＥＭの挿通孔ＥＭ６に＋Ｙ方向側から−Ｙ方向側に向けて挿通させて、当該段付ねじＳＣの先端（第２軸部ＳＣ３）を、突出部２２５のねじ孔２２５１に固定する。これにより、ファン配置部２２１（ファン取付部２２３）に排気ファン５３が取り付けられる。
【００４７】
ここで、段付ねじＳＣについて説明する。
段付ねじＳＣは、本発明の取付部材に相当する。この段付ねじＳＣは、外径が最も大きい頭部ＳＣ１と、第１軸部ＳＣ２と、外径が最も小さい第２軸部ＳＣ３とを有する。詳述すると、対向部としての頭部ＳＣ１の外径は、挿通孔５３８２の内径より大きい値に設定されている。また、第１軸部ＳＣ２の外径は、挿通孔５３８２，ＥＭ６の内径より小さい値に設定されている。そして、第１軸部ＳＣ２を挟んで頭部ＳＣ１とは反対側に位置する第２軸部ＳＣ３の外径は、ねじ孔２２５１の内径より小さい値に設定されている。この第２軸部ＳＣ３の周囲には、ねじ孔２２５１に螺合するねじ山（図示省略）が形成されている。
【００４８】
段付ねじＳＣの中心軸に沿う方向における第２軸部ＳＣ３の寸法は、突出部２２５のねじ孔２２５１の深さ寸法より小さい値に設定されている。このため、当該ねじ孔２２５１に第２軸部ＳＣ３を螺合させて、突出部２２５に段付ねじＳＣを固定した状態では、第１軸部ＳＣ２と第２軸部ＳＣ３とにより形成される段部ＳＣ４が、突出部２２５の先端部に当接して、ねじ孔２２５１への段付ねじＳＣの更なる挿入が規制される。
また、段付ねじＳＣの中心軸に沿う方向における第１軸部ＳＣ２の寸法は、当該段付ねじＳＣが突出部２２５に固定された際の挿通孔５３８２の同方向の寸法と、凸部ＥＭ７を含む防振部ＥＭ５の同方向の寸法と、を足した寸法に設定されている。換言すると、第１軸部ＳＣ２の寸法は、取付部５３８の挿通孔５３８２における段付ねじＳＣの中心軸に沿う方向（深さ寸法）と、同方向における取付部５３８の面５３８Ａから突出部２２５の先端までの弾性部材ＥＭの寸法と、を加算した寸法に設定されている。
このため、上記段部ＳＣ４が突出部２２５の先端部に当接した状態では、弾性部材ＥＭが段付ねじＳＣの中心軸に沿う方向（＋Ｙ方向に沿う方向）に大きく圧縮されることなく、取付部５３８と突出部２２５との間に介装される。このような段付ねじＳＣにより、弾性部材ＥＭ及び取付部５３８（ひいては排気ファン５３）が、突出部２２５（ひいてはファン取付部２２３）に取り付けられる。
【００４９】
ここで、段付ねじＳＣに代えて一般的なねじを用いた場合、ねじ孔２２５１への挿入量によっては、弾性部材ＥＭが上記中心軸ＣＡに沿って圧縮されるように弾性変形してしまう。このように変形した弾性部材ＥＭは、剛性が高まり、上記排気ファン５３の振動や、上記衝撃に起因する応力を弾性部材ＥＭが減衰させづらくなる。
これに対し、上記段付ねじＳＣが取付部材として用いられることによって、弾性部材ＥＭは、弾性変形が抑えられた状態で、取付部５３８と突出部２２５との間に介装される。これにより、弾性部材ＥＭを弾性変形させやすくすることができ、上記排気ファン５３の振動や、上記衝撃に起因する応力を弾性部材ＥＭが減衰させやすくすることができる。
【００５０】
［第１実施形態の効果］
以上説明した本実施形態に係るプロジェクター１によれば、以下の効果がある。
【００５１】
図９は、弾性部材ＥＭを有するプロジェクター１と、弾性部材ＥＭがないプロジェクターとにおいて、排気ファン５３の回転数と騒音の大きさとの関係を示すグラフである。
弾性部材ＥＭは、第１取付部としての取付部５３８と、第２取付部としてのファン取付部２２３を構成する突出部２２５との間に介在配置される。これによれば、排気ファン５３が駆動した際に生じる振動を、当該弾性部材ＥＭによって減衰でき、当該振動を取付部５３８から突出部２２５、ひいては、外装筐体２（ロアーケース２２）に伝播されづらくすることができる。このため、図９に示すように、排気ファン５３の使用回転数範囲（２４００〜４３００ｒｐｍ）で発生する騒音を、弾性部材ＥＭがない場合に比べて低減できる。このような効果は、当該使用回転数範囲において、騒音全体に占める風切音の割合が高い高回転域より、上記振動に起因する騒音の割合が高い低回転域で顕著となる。
このような弾性部材ＥＭは、第１取付部としての取付部５３８と突出部２２５との間に介装されるので、排気ファン５３の上下（＋Ｙ方向側及び−Ｙ方向側）に支持突起を設ける必要がない。従って、排気ファン５３の防振及び低騒音化を簡易に図ることができる。
【００５２】
この他、上記騒音を低減できるので、騒音に基づいて設定される排気ファン５３の回転速度（単位時間当たりの回転数）の上限値を高く設定できるので、当該排気ファン５３による冷却気体の排出量を増加させることができる。従って、プロジェクター１内の冷却気体の流通量を増加させることができ、冷却対象の冷却効率を高めることができる。すなわち、排気ファン５３の回転速度（単位時間当たりの回転数）を増加させたとしても、騒音値を所定の範囲内としつつ冷却性能の向上を図れる。
また、プロジェクター１に落下等の衝撃が加わった場合でも、弾性部材ＥＭが弾性変形することによって当該衝撃を減衰でき、当該衝撃に起因する応力が排気ファン５３に作用することを抑制できる。従って、排気ファン５３を保護できる。
【００５３】
弾性部材ＥＭは、弾性を有する樹脂であるシリコーン樹脂により構成されている。これによれば、弾性部材ＥＭを成形等により容易に形成できる。また、シリコーン樹脂は弾性の他に高い耐熱性も有するので、熱による弾性部材ＥＭの劣化を抑制できる。
更に、本実施形態では、弾性部材ＥＭを形成するシリコーン樹脂として、ヤング率が比較的低いシリコーン樹脂が採用されているので、正ばね定数が低い弾性部材を形成できる。そして、このような弾性部材ＥＭが、ファン取付部２２３の突出部２２５と排気ファン５３の取付部５３８との間に配置されることにより、当該排気ファン５３の振動を減衰しやすくすることができる。
【００５４】
弾性部材ＥＭは、取付部５３８と対向する面に複数の凸部ＥＭ７を有する。これによれば、各凸部ＥＭ７が、取付部５３８に接触し、排気ファン５３の振動に応じて弾性変形することにより、ファン取付部２２３の突出部２２５に伝播される振動を効果的に減衰させることができる。従って、当該振動に起因する騒音を確実に低減でき、プロジェクター１の低騒音化を確実に図ることができる。
【００５５】
ファン取付部２２３は、排気ファン５３に向けて突出する突出部２２５を有し、弾性部材ＥＭは、当該突出部２２５の先端部が嵌まり込む凹部ＥＭ３を有する。これによれば、突出部２２５への弾性部材ＥＭの取付を容易に実施できる他、ファン取付部２２３に排気ファン５３を取り付けるまでの間に、弾性部材ＥＭが突出部２２５から外れることを抑制できる。従って、ファン取付部２２３への弾性部材ＥＭ及び排気ファン５３の取付を容易に実施できるので、プロジェクター１の組立性を向上させることができる。
【００５６】
ファン取付部２２３は、上記突出部２２５を有する。また、取付部材としての段付ねじＳＣは、弾性部材ＥＭ及び取付部５３８の挿通孔５３８２を挿通する第１軸部ＳＣ２と、突出部２２５のねじ孔２２５１に固定される第２軸部ＳＣ３と、第１軸部ＳＣ２を挟んで第２軸部ＳＣ３とは反対側に位置し、取付部５３８においてファン取付部２２３に対向する面とは反対側の面に対向する頭部ＳＣ１（対向部に相当）と、を有する。更に、段付ねじＳＣは、第１軸部ＳＣ２と第２軸部ＳＣ３の接続部分に設けられ、突出部２２５の突出方向側の面に当接する段部ＳＣ４と、を有する。そして、段付ねじＳＣの中心軸に沿う方向（ねじ軸方向に沿う方向）おける第１軸部ＳＣ２の寸法は、挿通孔５３８２の同方向の寸法と、凸部ＥＭ７を含む防振部ＥＭ５の同方向の寸法とを足した値に設定されている。これによれば、弾性部材ＥＭが弾性変形（圧縮）されすぎない状態で、ファン取付部２２３に弾性部材ＥＭ及び取付部５３８を取り付けることができる。従って、排気ファン５３の振動を確実に減衰させて、当該振動をファン取付部２２３に伝わりにくくすることができるので、排気ファン５３の防振を確実に図ることができ、ひいては、プロジェクター１の低騒音化を確実に図ることができる。
【００５７】
ここで、プロジェクター１が携帯可能なモバイルプロジェクターとして構成されている場合、外装筐体２の内部の冷却気体を排出する排気ファン５３には、当該外装筐体２の外部の気体を導入するファン５１や、外装筐体内に導入された冷却気体を冷却対象に送出するファン５２に比べて大型のファンが採用される。このような排気ファン５３は、これら他のファン５１，５２に比べて駆動時の振動が大きくなりやすい他、プロジェクター１に落下等の衝撃が加わった場合に作用する応力が大きくなりやすい。
これに対し、外装筐体２は、外装筐体２の内部の冷却気体が排出される排気口２Ｃ２を有し、排気ファン５３は、排気口２Ｃ２を介して外装筐体２の内部の冷却気体を排出するファンである。これによれば、弾性部材ＥＭによって排気ファン５３からファン取付部２２３（外装筐体２）に伝播される振動を減衰させることができる他、外装筐体２から排気ファン５３に作用する上記応力を減衰させることができる。従って、排気ファン５３の振動に起因する騒音を効果的に低減できる他、当該排気ファン５３を安定して利用できる。
【００５８】
［第１実施形態の変形］
図１０は、弾性部材ＥＭを介して突出部２２５に排気ファン５４を取り付けた状態を示す斜視図である。なお、図１０においては、２つの突出部２２５を通る平面での突出部２２５、弾性部材ＥＭ及び排気ファン５４の断面も示されている。
上記プロジェクター１では、排気ファン５３は、ファン本体５３１及びファン筐体５３２を有し、当該ファン筐体５３２が、取付部５３８を有する構成であった。しかしながら、ファン取付部２２３に取り付けられるファンは、これに限らず、ファン筐体５３２が無い排気ファンを採用してもよい。
例えば、排気ファン５４は、図１０に示すように、両面吸気型の遠心力ファンであり、複数の羽根５４１１が設けられた羽根部材５４１と、羽根部材５４１の中心軸を回転軸として回転させる回転装置５４２と、これらを収容するファンケース５４３と、を有する。
【００５９】
これらのうち、ファンケース５４３は、排気ファン５４におけるファン筐体に相当する。このファンケース５４３は、上記羽根部材５４１の回転軸に直交し、かつ、互いに対向する２つの面５４３Ａ，５４３Ｂを有する。そして、ファンケース５４３は、面５４３Ａに導入口５４４を有し、面５４３Ｂに導入口５４５を有する。また、ファンケース５４３は、図示を省略するが、当該回転軸に直交する方向に開口する排出口を有し、当該排出口は、導入口５４４，５４５から導入された冷却気体を排出する。
【００６０】
更に、ファンケース５４３は、上記取付部５３８と同様の第１取付部としての取付部５４６を複数有し、それぞれの取付部５４６には、上記弾性部材ＥＭの挿通孔ＥＭ６を挿通して突出部２２５に固定される段付ねじＳＣが挿通する挿通孔５４６１を有する。なお、ファンケース５４３は、２つの取付部５４６を有するが、１つ、或いは、３つ以上の取付部５４６を有していてもよい。更に、取付部５４６の位置も適宜変更してよく、取付部５４６は、位置決め突起２２４が挿入される位置決め孔を有していてもよい。
このような排気ファン５４が、上記排気ファン５３と同様に弾性部材ＥＭを介して突出部２２５に段付ねじＳＣによって取り付けられる場合でも、上記プロジェクター１と同様の効果を奏することができる。
【００６１】
［第２実施形態］
次に、本発明の第２実施形態について説明する。
本実施形態に係るプロジェクターは、上記プロジェクター１と同様の構成及び機能を有する。しかしながら、本実施形態に係るプロジェクターでは、ファン取付部２２３と排気ファン５３との間に介装される弾性部材が、上記弾性部材ＥＭと異なる他、排気ファン５３とファン配置部２２１との間に可撓部材が配置される。これらの点で、本実施形態に係るプロジェクターとプロジェクター１とは相違する。なお、以下の説明では、既に説明した部分と同一又は略同一である部分については、同一の符号を付して説明を省略する。
【００６２】
図１１は、本実施形態に係るプロジェクター１Ａにおけるファン配置部２２１の構成を示す斜視図である。
本実施形態に係るプロジェクター１Ａは、図１１に示すように、弾性部材ＥＭに代えて弾性部材ＳＰを有し、更に可撓部材Ｆ１を有する他は、上記プロジェクター１と同様の構成及び機能を有する。
弾性部材ＳＰは、コイルばねにより構成されている。この弾性部材ＳＰは、弾性部材ＥＭと同様に、＋Ｙ方向側の端部が面５３８Ａに当接し、−Ｙ方向側の端部が突出部２２５の先端部に当接するように、当該突出部２２５と取付部５３８との間に介装される。そして、取付部５３８の挿通孔５３８２を挿通した段付ねじＳＣが挿通され、当該段付ねじＳＣの第２軸部ＳＣ３が突出部２２５のねじ孔２２５１に螺合することにより、弾性部材ＳＰは、ファン取付部２２３に取り付けられ、上記弾性部材ＥＭと同様に作用する。
なお、弾性部材ＳＰにおける−Ｙ方向側の端部は、必ずしも突出部２２５の先端部に当接していなくてもよい。例えば、ファン取付部２２３が架橋部２２６を有しない場合には、弾性部材ＳＰにおける−Ｙ方向側の端部は、ロアーケース２２の内面２２Ａに当接していてもよい。
【００６３】
可撓部材Ｆ１は、弾性部材ＥＭ，ＳＰと同様に、排気ファン５３の振動を減衰させるダンパーとして機能するものである。この可撓部材Ｆ１は、排気ファン５３において−Ｙ方向側に位置する吸気面５３６と、上記内面２２Ａ（詳しくはファン配置部２２１の板状体２２２）との間に配置される。このような可撓部材Ｆ１は、互いに平行に延出する当接部Ｆ１１，Ｆ１２と、接続部Ｆ１３と、を有する。
当接部Ｆ１１は、吸気面５３６に当接される部位であり、当接部Ｆ１２は、板状体２２２に当接される部位である。なお、板状体２２２が無い場合には、当接部Ｆ１２は、内面２２Ａに当接される。
【００６４】
接続部Ｆ１３は、当接部Ｆ１１，Ｆ１２間を接続する。この接続部Ｆ１３は、減衰部Ｆ１４及び通風部Ｆ１５を有する。
減衰部Ｆ１４は、当接部Ｆ１１，Ｆ１２の一方が他方に対して近接する方向への運動エネルギーを減衰させる。この減衰部Ｆ１４は、本実施形態では４つ設けられており、各当接部Ｆ１１，Ｆ１２の長手方向における一端側に設けられた２つの減衰部Ｆ１４と、他端側に設けられた２つの減衰部Ｆ１４とは、互いに向き合う横向きのＶ字状に形成されている。そして、長手方向中央に位置する２つの減衰部Ｆ１４によって１つの菱形が形成され、当該２つの減衰部Ｆ１４の外側に、当該減衰部Ｆ１４と同形状の減衰部Ｆ１４がそれぞれ配置されている。
通風部Ｆ１５は、複数の減衰部Ｆ１４の間に形成されて、上記排気ファン５３と板状体２２２との間を吸気面５３６（当該吸気面５３６の開口部）に向かって流通する冷却気体を通過させる部位である。
【００６５】
図１２は、可撓部材Ｆ１の配置位置の一例を示す図である。
このような可撓部材Ｆ１は、図１２に示すように、排気ファン５３における−Ｚ方向側の部位、すなわち、吸気面５３６に形成された開口部に対して、排気ファン５３に吸引される冷却気体の上流側の部位に設けられる。換言すると、可撓部材Ｆ１は、吸気面５３６において、仕切部材２Ｃ３によって支持される送出部５３７側とは反対側の部位に当接するように設けられる。このため、排気ファン５３の駆動時に生じる振動は、上記弾性部材ＳＰによって減衰されるとともに、可撓部材Ｆ１によっても減衰される。
また、可撓部材Ｆ１が上記通風部Ｆ１５を有することにより、排気ファン５３に対して−Ｚ方向側から流通する冷却気体は、当該可撓部材Ｆ１によって遮られることなく、吸気面５３６の開口部（図示省略）を介して排気ファン５３に吸引される。
【００６６】
なお、可撓部材Ｆ１は、弾性及び耐熱性を有する材料により形成され、本実施形態では、シリコーン樹脂により構成されている。しかしながら、これに限らず、可撓部材Ｆ１は、弾性を有する他の材料（例えばウレタン樹脂）により構成されていてもよい。
また、本実施形態に係るプロジェクター１Ａは、弾性部材ＥＭに代えて弾性部材ＳＰを採用したが、これに限らず、弾性部材ＥＭを採用してもよい。
【００６７】
［第２実施形態の効果］
以上説明した本実施形態に係るプロジェクター１Ａによれば、上記プロジェクター１と同様の効果を奏することができる他、以下の効果を奏することができる。
弾性部材ＳＰは、ばねにより構成されている。これによれば、弾性部材ＳＰを簡易に構成できる他、弾性部材ＳＰを設けることによるプロジェクター１Ａの製造コストの上昇を抑制できる。
【００６８】
排気ファン５３は、遠心力ファンであり、当該排気ファン５３が有するファン筐体５３２は、回転される羽根部材の回転軸に直交する直交面である吸気面５３５，５３６を有する。そして、ロアーケース２２の内面２２Ａ（詳しくは板状体２２２）と吸気面５３６との間には、可撓部材Ｆ１が設けられている。これによれば、上記弾性部材ＥＭ，ＳＰと同様に、可撓部材Ｆ１が排気ファン５３の振動に応じて撓むことにより、ロアーケース２２に伝播される当該振動を確実に減衰できる。従って、当該振動に起因する騒音を一層低減でき、プロジェクター１Ａの低騒音化をより確実に図ることができる。
【００６９】
可撓部材Ｆ１は、排気ファン５３（詳しくは吸気面５３６の開口部）に向けて流通する冷却気体を通過させる通風部Ｆ１５を有する。これによれば、可撓部材Ｆ１が設けられることによって冷却気体の流通が遮られることを抑制できる。従って、可撓部材Ｆ１によって排気ファン５３の吸排気が妨げられることを抑制できる。
【００７０】
［第２実施形態の変形］
図１３は、可撓部材Ｆ１の変形である可撓部材Ｆ２が排気ファン５３とファン配置部２２１との間に配置された状態を示す図である。
上記可撓部材Ｆ１は、それぞれ横向きのＶ字状を有する複数の減衰部Ｆ１４を備える構成であった。しかしながら、減衰部の形状は、階段状等の他の形状でもよい。
例えば、可撓部材Ｆ１に代えて採用可能な可撓部材Ｆ２は、図１３に示すように、上記当接部Ｆ１１，Ｆ１２と、これら当接部Ｆ１１，Ｆ１２間を接続する接続部Ｆ２３と、を有する。また、接続部Ｆ２３は、複数の減衰部Ｆ２４及び通風部Ｆ２５を有する。
複数の減衰部Ｆ２４は、当接部Ｆ１１に対して６０°の交差角で交差し、かつ、当接部Ｆ１２に対して１２０°の交差角で交差する３つの減衰部Ｆ２４と、当接部Ｆ１１に対して１２０°の交差角で交差し、かつ、当接部Ｆ１２に対して６０°の交差角で交差する３つの減衰部Ｆ２４と、を含む。すなわち、これら６つの減衰部Ｆ２４により、５つの正三角形が形成される。そして、これら減衰部Ｆ２４の間に、冷却気体が流通可能な通風部Ｆ２５が形成される。
このような可撓部材Ｆ２が、可撓部材Ｆ１に代えてプロジェクター１Ａに採用された場合でも、当該可撓部材Ｆ１が採用されたプロジェクター１Ａと同様の効果を奏することができる。
【００７１】
［各実施形態の変形］
本発明は、上記各実施形態に限定されるものではなく、本発明の目的を達成できる範囲での変形、改良等は本発明に含まれるものである。
上記第１実施形態では、第１取付部としての取付部５３８と、第２取付部としてのファン取付部２２３が有する突出部２２５との間に、弾性部材ＥＭが介在配置されるとした。また、上記第２実施形態では、取付部５３８と突出部２２５との間に弾性部材ＳＰが介在配置されるとした。このような弾性部材は、ファンの駆動によって発生してファン取付部２２３に伝播される振動を減衰させる弾性力を有する部材であれば、当該弾性部材の構成、形状及び材料は問わない。例えば、弾性部材ＥＭにおいて、側面部ＥＭ２、凹部ＥＭ３、切欠ＥＭ４及び凸部ＥＭ７のうち少なくともいずれかは無くてもよく、弾性部材ＥＭの材料も、シリコーン樹脂に限らず、ウレタン樹脂でもよく、他の材料であってもよい。
【００７２】
上記各実施形態では、取付部材として段付ねじＳＣを採用した。しかしながら、これに限らず、取付部材は、一般的なねじであってもよい。この場合、突出部２２５のねじ孔２２５１への挿入量を調整することにより、弾性部材ＥＭ，ＳＰの変形量（圧縮量）を調整できる。
【００７３】
上記各実施形態では、弾性部材ＥＭ，ＳＰは、突出部２２５に取り付けられるとした。しかしながら、これに限らず、弾性部材ＥＭ，ＳＰは、外装筐体２を構成するロアーケース２２の内面２２Ａに当接し、かつ、当該内面２２Ａと取付部５３８との間に介在配置されていてもよい。また、弾性部材ＥＭ，ＳＰ等の弾性部材の一端が当接する外装筐体の部位は、アッパーケース２１の内面、或いは、当該内面に形成された突出部（例えばボス）であってもよい。
【００７４】
上記各実施形態では、ファン筐体５３２が有する取付部５３８は、取付部材としての段付ねじＳＣが挿通する挿通孔５３８２を有する他、位置決め突起２２４が挿入される位置決め孔５３８１を有するとした。しかしながら、これに限らず、ファンケース５４３の取付部５４６のように、位置決め孔５３８１は無くてもよい。
【００７５】
上記第２実施形態では、プロジェクター１Ａは、弾性部材ＳＰの他、ロアーケース２２の内面２２Ａにおいて吸気口２Ｂ１に応じた部位に位置するファン配置部２２１の板状体２２２と吸気面５３６との間に配置される可撓部材Ｆ１，Ｆ２を有するとした。しかしながら、これに限らず、可撓部材Ｆ１，Ｆ２は無くてもよい。また、上記のように、板状体２２２がない場合には、可撓部材Ｆ１，Ｆ２は、内面２２Ａに当接するように設けられてもよい。一方、プロジェクターに可撓部材Ｆ１，Ｆ２のいずれかが採用される場合には、弾性部材ＥＭ，ＳＰ等の弾性部材は無くてもよい。更に、可撓部材Ｆ１，Ｆ２が設けられる場合、当該可撓部材Ｆ１，Ｆ２は、吸気面５３５とアッパーケース２１の内面との間に設けられていてもよく、アッパーケース２１の内面と吸気面５３５との間、及び、ロアーケース２２の内面２２Ａと吸気面５３６との間のそれぞれに、可撓部材が設けられてもよい。更に、可撓部材は、吸気部ではないファンの側面部に当接されるように設けられてもよく、ファン筐体５３２がない排気ファン５４のファンケース５４３に当接されるように設けられてもよい。
【００７６】
上記第２実施形態では、可撓部材Ｆ１，Ｆ２では、当接部Ｆ１１，Ｆ１２の間を接続する接続部Ｆ１３，Ｆ２３を有し、当該接続部Ｆ１３，Ｆ２３は、減衰部Ｆ１４，Ｆ２４及び通風部Ｆ１５，Ｆ２６を有するとした。しかしながら、これに限らず、可撓部材に通風部はなくてもよい。また、減衰部Ｆ１４，Ｆ２４の数、形状及び構成も、上記に限らず、適宜変更してよい。
【００７７】
上記各実施形態では、弾性部材ＥＭ，ＳＰ及び可撓部材Ｆ１，Ｆ２は、排気ファン５３に応じて設けられるとした。しかしながら、これに限らず、外装筐体の外部の気体を冷却気体として内部に吸引する吸気ファンや、外装筐体内の気体を冷却気体として冷却対象に送出する冷却ファン、及び、外装筐体内の気体を循環させる循環ファンの取付構造に、これら弾性部材及び可撓部材を採用してもよい。なお、このような取付構造は、外装筐体に設けられたものに限らず、ファンが取り付けられる構造体の取付構造であればよい。例えば、外装筐体内に設けられる密閉筐体内にファンを取り付ける取付構造に、上記弾性部材ＥＭ，ＳＰ等の弾性部材、及び、可撓部材Ｆ１，Ｆ２等の可撓部材の少なくともいずれかを採用してもよい。
【００７８】
上記各実施形態では、弾性部材ＥＭ，ＳＰ及び可撓部材Ｆ１，Ｆ２は、遠心力ファンである排気ファン５３に応じて設けられるとした。しかしながら、これに限らず、これら弾性部材及び可撓部材が設けられるファンは、軸流ファンであってもよい。
また、弾性部材ＥＭ，ＳＰ及び可撓部材Ｆ１，Ｆ２は、排気ファン５３において、当該排気ファン５３に流通する冷却気体の流路における上流側の部位（吸気面５３６の開口部に対して−Ｚ方向側の部位）に設けられるとした。しかしながら、これに限らず、弾性部材及び可撓部材は、下流側の部位（吸気面５３６の開口部に対して＋Ｚ方向側の部位）に設けられてもよい。すなわち、これら弾性部材及び可撓部材のファンに対する配置位置は、適宜変更可能である。
更に、排気ファン５３における＋Ｚ方向側の端部に位置する送出部５３７は、仕切部材２Ｃ３と接続されているとした。しかしながら、これに限らず、送出部５３７と仕切部材２Ｃ３とは直接接続されていなくてもよい他、ダクトを介して接続されてもよい。
【００７９】
上記各実施形態では、プロジェクター１は、光変調装置としての３つの液晶パネル４５３（４５３Ｒ，４５３Ｇ，４５３Ｂ）を備えるとした。しかしながら、これに限らず、２つ以下、あるいは、４つ以上の液晶パネルを備えたプロジェクターにも、本発明を適用可能である。
上記各実施形態では、画像投射装置４は、図２及び図３に示したように平面視略Ｌ字形状に構成されていた。しかしながら、これに限らず、画像投射装置４は、例えば平面視略Ｕ字形状に構成されていてもよい。更に、画像投射装置４を構成する光学部品は、上記に限らず、適宜変更可能である。
【００８０】
上記各実施形態では、光入射面と光出射面とが異なる透過型の液晶パネル４５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を、本発明のプロジェクターに用いてもよい。
【符号の説明】
【００８１】
１…プロジェクター、２…外装筐体、２２…ロアーケース、２２Ａ…内面、２２１…ファン配置部、２２２…板状体、２２３…ファン取付部（第２取付部）、２２４…位置決め突起、２２５…ボス（突出部）、２２５１…ねじ孔、２２６…架橋部、２Ｂ…底面部、２Ｂ１…吸気口、２Ｃ２…排気口、２Ｃ３…仕切部材、５３…排気ファン（ファン）、５３１…ファン本体、５３２…ファン筐体、５３３…第１筐体、５３４…第２筐体、５３５…吸気面、５３５１…開口部、５３６…吸気面（直交面）、５３７…排出部、５３８…取付部（第１取付部）、５３８１…位置決め孔、５３８２…挿通孔、５４…排気ファン（ファン）、５４１…羽根部材、５４３…ファンケース（ファン筐体）、５４６…取付部（第１取付部）、ＥＭ…弾性部材、ＥＭ３…凹部、ＥＭ７…凸部、Ｆ１，Ｆ２…可撓部材、Ｆ１５，Ｆ２５…通風部、ＰＬ…金属板、ＳＣ…段付ねじ（取付部材）、ＳＣ１…頭部（対向部）、ＳＣ２…第１軸部、ＳＣ３…第２軸部、ＳＣ４…段部、ＳＰ…弾性部材。
【図１】
2018017962.tif 000003
【図２】
2018017962.tif 000004
【図３】
2018017962.tif 000005
【図４】
2018017962.tif 000006
【図５】
2018017962.tif 000007
【図６】
2018017962.tif 000008
【図７】
2018017962.tif 000009
【図８】
2018017962.tif 000010
【図９】
2018017962.tif 000011
【図１０】
2018017962.tif 000012
【図１１】
2018017962.tif 000013
【図１２】
2018017962.tif 000014
【図１３】
2018017962.tif 000015